(57)【要約】 【課題】  本発明の中通し浮きは従来の浮きによく見られたポイントに投入時の不具合であった糸絡みまた、着水後浮きの横揺れを最小限に防ぎ魚のアタリを的確に視認する事ができる安定性に優れた中通し浮きを提供する事である。【解決手段】  本発明の釣り用中通し浮きは、浮力材で形成された浮き本体の縦中央に貫通状に設けられた道糸通係孔と中空円筒形状の錘を配置する孔を開け浮力体内下部より外部下に著しく突起させた位置に錘を接着剤で固定し錘を含む縦中心上部より下部に合成樹脂等の中空パイプ管が配置され外表面には着色塗料や光沢材等のコーティング材を使用し塗着させた構成からなる。    【選択図】    図１
2005027581.tif 000002
【特許請求の範囲】
【請求項１】
浮き本体の縦中央に貫通状に設けられた道糸通係孔と浮き本体の最下部中央より内部中心方向へ半埋め込み状で浮き本体の外部へ著しく突起させた錘と、を有する釣り用浮き。
【発明の詳細な説明】
【技術分野】
【０００１】
本発明の浮きはバランスを取る為に用いられる錘の位置を浮き本体の内部へ半埋め込み状で外部下へ著しく突起させ重心位置をより下部に置き的確な安定性を保持する釣り用浮きに関するものである。
【背景技術】
【０００２】
浮き本体の内部にバランスを取る為に用いられる錘が埋め込まれていた。
【０００３】
釣具の一部である浮きには、多様な種類の浮きがあるが、釣り場に応じて最適とされる浮きを選択する事が好ましい、浮きとしての機能を備えるには、魚のアタリがはっきりとしかも敏感に捉えられて浮きを水中に沈み込ませるような反応性の高い浮きとすることが必要であり、一般に従来から多様に好まれ使用されている通常どんぐり浮きを図で示すと、図２は卵形中通し浮きの一部であるどんぐり型と称される浮きBの断面図でありこの浮きは、浮力体１の縦中央上部より下部に貫通状に設けられた道糸通係孔と、中空円筒状の錘２の埋め込み孔を、浮き本体の最下部中央より内部中心方向に任意の範囲で開け錘２を埋め込み接着材で固定し道糸通係孔を軸に回転させ切削工具等により一体成形され道糸通係孔に道糸通係パイプ管３を挿入した浮き、使用例として図５、リール６を付けた竿７に接続させた道糸５に浮きBを取り付けその道糸５の先端側にハリス及び錘、針を接続する仕掛けで使用されるのが一般的である、また小型で感度も良く携帯に便利である上構造上も簡単である。
【０００４】
しかしながら、従来のどんぐりタイプの浮きBはバランスを保つ為に用いられる錘２を浮き本体の縦中央の下部に埋め込み状に配置し重心の位置を下げ安定性を保持したにも関わらずポイントに投入する際道糸と浮きの絡み合いが時折発生し本来浮きに挿通したパイプ管３の上部より下部へ通した道糸が水中に移動し任意の水深位置までエサを運ぶ作用を果たせず、また、着水後浮きの横揺れが酷く魚のアタリである浮きの感度を見極める際、見誤りが多かった。
【特許文献１】特開２０００−２８７５９３号  公報
【発明の開示】
【発明が解決しようとする課題】
【０００５】
本発明の浮きは従来の中通し浮きに時折見られた不具合の糸絡みまた、浮きの横揺れを最小限に防ぎ本来中通し浮きの持つ使いやすさ及び高感度で反応性に優れ、安定性を保持した浮きを提供する。
【課題を解決するための手段】
【０００６】
上記目的を達成する為に本発明の浮を図で示すと、図１は通常どんぐり型と称される浮きAの断面図であり浮力体１の内部よりバランスを取る為に用いられる錘２を浮力体１の外部下へ著しく突起させ浮きの重心位置を下げた構成であり的確な安定性を保持し高感度を保守する浮きである。
【０００７】
図４で示す様に、錘２が浮力体１の最下部より外部に突起させた状態で配置された事としても良い。
【０００８】
また、浮力体１は卵型形状の一部と称されるどんぐり型に限る事なく中通しタイプの浮きであれば外形形状は任意の形状にしてもよい。  
【発明の効果】
【０００９】
本発明の浮きは魚釣りを行う際、魚のアタリを的確に視認する為用いる浮きに関するものであり釣り用の浮きには、安定性が最重視される、そこで安定性をより高度に保つ為本発明の浮きは、バランスを取る為に用いられる錘を、従来埋め込まれていた位置より著しく下げ、より低い位置に浮きの重心を配置した事により高度な安定性を保ち使用時に置いても魚のアタリを敏感に捉え、また不具合であった浮きの横揺れ糸絡みが、極めて少なくなった。
【００１０】
また、外表面の着色塗料や光沢材等のコーティング材は、近来多様に好まれ、使用されている樹脂塗料は、密着性に優れ衝撃にも強いハードコーティング材を使用し塗着させ、浮き本体である浮力体への水の進入を防ぎ的確な浮力を保持する。
【００１１】
本発明の浮きは従来の浮きに埋め込まれた錘の位置を、浮力体の外部へ著しく突起させた形状で構成した浮きである、この浮きを、ポイントに投入時、高度なバランスを保ち、かつ、最良な安定性を保守し的確な浮力を保持する、また構造が簡単な為、安価に製造する事ができる。
【発明を実施するための最良の形態】
【００１２】
図１に示す様に、中通し浮きAの浮力体１内の下部に設けられた錘２を含む、縦中心上部より下部に合成樹脂等の中空パイプ管３が配置されており、中空パイプ管３の中央の孔に釣り用の道糸５が通係されて、同道糸５の任意の位置で釣り用中通し浮きAを、誘導状態或いは、固定で使用する。
【００１３】
また、本発明の中通し浮きは、浮力材を浮力体１として成形されたものであり、例えば、木製の角材を素材とし、回転させながら切削工具等を用いて切削加工し外表面には、着色塗料や光沢材等のコーティング材４が塗着されている、また、浮力材として木製では、桐、バルサ、ホー、檜、杉、松、桜、紅葉、科学合成樹脂材としては、発泡スチロール、プラスチック、ウレタン樹脂、FRP樹脂、エポキシ樹脂等を使用しても良い。
【００１４】
図１にも示す様に、この中通し浮きAは、バランスを取る為に用いられる錘２を、浮き本体下部に著しく突起した状態に配置する事により浮き本体の重心位置が下がり、高度なバランスを保ちかつ高感度で反応性に優れ、的確な安定性を保持した中通し浮きに仕上げられたものである。
【００１５】
図３で、示す様に、本発明の中通し浮きA及び、従来の中通し浮きBは、同材質、同形状の、浮力体１及び錘２を用いて成形された断面図である、本発明の中通し浮きAはより良いバランスを保つ為に、錘２の位置を、浮力体１内より外部へ、著しく突起させた事により浮き本体の重心位置が下がり安定性が高まり、また錘２の埋め込み孔が減少し浮力体１内に浮力体Rが設けられる、その事により、浮力体１の体積が増え、浮き本体の浮力が増量する。
【００１６】
また浮き本体の浮力が増す事により錘２を、増量する事ができ、より重心位置を下げる事が可能となり浮き本体の重量が増え的確な安定性を保持し使用の際浮きをポイントへ投入時の飛距離も延びる。
【００１７】
また、錘の材料としては、鉛、真鍮、銅、錫、鉄、ステンレス、亜鉛、セラミック等が使用できる。
【実施例】
【００１８】
本発明の好適な実施例を図面で説明する、図１は本発明の釣り用中通し浮きAに係る実施例を示しており図１に置いて、この釣り用中通し浮きAは通常どんぐり浮きと称されるタイプの浮きであり浮力体１が主な浮きの形状である、下部には錘２が、浮力体１の内部縦中央下部より浮力体の外部下へ著しく突起した状態で配置されている。
【００１９】
本発明の釣り用中通し浮きAに係る作用について説明すると中通し浮きAは的確な安定性を保守し、かつ、高感度を保ち、従来中通し浮きに多く見られたポイント投入時の糸絡み、即ち道糸と浮きの絡み合い、また着水後の浮きの横揺れを最小限に防ぎ、釣果も上がる。
【００２０】
本発明に係る釣り用中通し浮きAを提供する事により制度の良い浮力及び安定性、高感度を備え高度なバランスを保持し他品種の需要にも応じながら使用の際ポイントに投入時多く見られた糸絡みや着水後浮きの横揺れ等の不具合を最小限に防ぎまた、本発明に係る中通し浮きAは卵型形状の一部と称されるどんぐり型浮きに限る事なく中通しタイプの浮きで有れば、外形形状は任意の形状にしても良い。
【図面の簡単な説明】
【００２１】
【図１】本発明の浮きの断面図
【図２】従来の浮きの断面図
【図３】本発明の浮きと従来の浮きの断面図
【図４】本発明を応用した浮きの断面図
【図５】使用例の図面
【符号の説明】
【００２２】
１    浮力体
２    錘
３    中空パイプ管
４    コーティング材
５    道糸
６    リール
７    釣り竿
８    水面
A     本発明の浮き
B     従来の浮き
Q     接着面
R     浮力体    
【図１】
2005027581.tif 000003
【図２】
2005027581.tif 000004
【図３】
2005027581.tif 000005
【図４】
2005027581.tif 000006
【図５】
2005027581.tif 000007